(57)【特許請求の範囲】
【請求項１】
コネクタ用プラグと、該プラグが挿入・嵌合され接続されるコネクタ用レセプタクルとでなる光コネクタにおいて、
前記プラグとレセプタクルとに、接続時にはファイバーの接続用端部が光軸に
沿って移動するのを許容し非接続時には前記ファイバーの接続用端部の移動を阻止するシャッターが各々に設けられ、
当該両シャッターは、接続時に接続相手側の退避手段によって光軸上から退避させられて、前記プラグにおけるファイバーの接続用端部が前記プラグ側のシャッターの内側から外側に突出することで、レセプタクル側のファイバーとの接続がなされること、
を特徴とするシャッター付き光コネクタ。
【請求項２】
プラグのスライドハウジングにシャッターが設けられ、該シャッターの内側に、ファイバーの接続用端部が損傷しないように前記スライドハウジングの光軸上からの退避を阻止する、フィアバー損傷防止棒が配設されていること、
を特徴とする請求項１に記載のシャッター付き光コネクタ。
【請求項３】
コネクタ用プラグと、該プラグが挿入・嵌合され接続されるコネクタ用レセプタクルとでなる光コネクタにおいて、
前記プラグとレセプタクルとに、接続時にはファイバーの接続用端部が光軸に沿って移動するのを許容し非接続時には前記ファイバーの接続用端部の移動を阻止するシャッターが各々に設けられ、
前記プラグ側のシャッターは、接続時にレセプタクルに挿入・嵌合されて光軸上から退避されてファイバーの接続用端部が光軸に沿って接続のために移動するのを許容するとともに、非接続時にはレセプタクルからの抜去で光軸上に移動されて前記ファイバーの接続用端部が光軸に沿って接続のために移動するのを阻止するスライドハウジングがシャッターを兼用し、
前記レセプタクル側には、前記スライドハウジングを光軸上から退避させる退避手段と光軸上に復帰させる復帰手段とが設けられていること、
を特徴とするシャッター付き光コネクタ。
【請求項４】
コネクタ用プラグと、該プラグが挿入・嵌合され接続されるコネクタ用レセプタクルとでなる光コネクタにおいて、
前記プラグとレセプタクルとに、接続時にはファイバーの接続用端部が光軸に沿って移動するのを許容し非接続時には前記ファイバーの接続用端部の移動を阻止するシャッターが各々に設けられ、
前記レセプタクル側のシャッターは、プラグの挿抜作用で開閉するように回動自在に軸支されるとともに、前記レセプタクルの後方側に傾斜して設けられていること、
を特徴とするシャッター付き光コネクタ。
【発明の詳細な説明】
【技術分野】
【０００１】  本発明は、光通信ケーブルの接続部に使用される光コネクタに係り、詳しくは、コネクタ接続におけるコネクタ用プラグ（以下単にプラグという）とコネクタ用レセプタクル（以下単にレセプタクルという）との取り扱いの安全性及び防塵性を高めたシャッター付き光コネクタに関する。
【背景技術】
【０００２】  光コネクタは、インターネット社会における大規模容量の通信を可能にする光ケーブルのケーブル接続に無くてはならないものである。その光ケーブルは、例えば、会社間若しくは会社内におけるＬＡＮの構築や、一般家庭にまで光ケーブルを引き込むＦＴＴＨ（Ｆｉｂｅｒ  Ｔｏ  Ｔｈｅ  Ｈｏｍｅ）の構築に使用される。このように、光ケーブルが身近な存在となっているため、一般人が光コネクタに接する機会も多くなり、一般家庭において光ファイバーの光を直視してその光エネルギーにより網膜を損傷する等のおそれがあったり、塵埃等が侵入して光伝送損失量が大きくなったりするといった課題がある。【０００３】  そこで、従来例では、光コネクタにおけるプラグ若しくはレセプタクルの開口部に、開閉式のシャッターを設けるようにしたものとして、例えば、特開平１０−３００９８５号が知られている。【０００４】  しかしながら、前記シャッター付き光コネクタにおいては、開口部にシャッターがあっても、防塵作用のみで、例えば、幼児がその手の指を差し込んだ場合には、簡単にコネクタ内部に指が入ってしまったり、シャッターを押すと移動ロック機構がないため容易に後退してファイバー端部が露出してしまったりして、ファイバーが折れる等、安全性に欠ける場合がある。
【発明の開示】
【発明が解決しようとする課題】
【０００５】  このように、シャッター付き光コネクタにおいては、防塵作用と、安全性及びその確実性とを十分に満足させることに課題を有している。
【課題を解決するための手段】
【０００６】
本発明は、コネクタ用プラグと、該プラグが挿入・嵌合され接続されるコネクタ用レセプタクルとでなる光コネクタにおいて、前記プラグとレセプタクルとに、接続時にはファイバーの接続用端部が光軸に沿って移動するのを許容し非接続時には前記ファイバーの接続用端部の移動を阻止するシャッターが各々に設けられ、当該両シャッターは、接続時に接続相手側の退避手段によって光軸上から退避させられて、前記プラグにおけるファイバーの接続用端部が前記プラグ側のシャッターの内側から外側に突出することで、レセプタクル側のファイバーとの接続がなされるシャッター付き光コネクタシャッター付き光コネクタとしたことである。
【０００７】  また、前記プラグのスライドハウジングにシャッターが設けられ、該シャッターの内側に、ファイバーの接続用端部が損傷しないように前記スライドハウジングの光軸上からの退避を阻止する、フィアバー損傷防止棒が配設されていることである。【０００８】
更に、本発明に係るシャッター付き光コネクタの要旨は、コネクタ用プラグと、該プラグが挿入・嵌合され接続されるコネクタ用レセプタクルとでなる光コネクタにおいて、前記プラグとレセプタクルとに、接続時にはファイバーの接続用端部が光軸に沿って移動するのを許容し非接続時には前記ファイバーの接続用端部の移動を阻止するシャッターが各々に設けられ、前記プラグ側のシャッターは、接続時にレセプタクルに挿入・嵌合されて光軸上から退避されてファイバーの接続用端部が光軸に沿って接続のために移動するのを許容するとともに、非接続時にはレセプタクルからの抜去で光軸上に移動されて前記ファイバーの接続用端部が光軸に沿って接続のために移動するのを阻止するスライドハウジングがシャッターを兼用し、前記レセプタクル側には、前記スライドハウジングを光軸上から退避させる退避手段と光軸上に復帰させる復帰手段とが設けられていることである。
【０００９】
また、前記コネクタ用プラグと、該プラグが挿入・嵌合され接続されるコネクタ用レセプタクルとでなる光コネクタにおいて、前記プラグとレセプタクルとに、接続時にはファイバーの接続用端部が光軸に沿って移動するのを許容し非接続時には前記ファイバーの接続用端部の移動を阻止するシャッターが各々に設けられ、前記レセプタクル側のシャッターは、プラグの挿抜作用で開閉するように回動自在に軸支されるとともに、前記レセプタクルの後方側に傾斜して設けられていることである。
【発明の効果】
【００１０】  このように構成されるシャッター付き光コネクタによれば、プラグをレセプタクルに接続する前には、シャッターにより内部に塵等が侵入することが防止され、ファイバーの接続用端部を誤って直視することが防止されて安全である。【００１１】  また、ファイバー損傷防止棒により、幼児等が悪戯してスライドハウジングを光軸上から退避させてファイバーの接続側端部を外部に露出させることが防止され、目等に傷害を与えないようにし、ファイバーの損傷も保護する。【００１２】  更に、プラグにおけるスライドハウジングを、光軸上から退避したり復帰したりと、移動可能とすることで、シャッター兼用にせしめ、これにより、部品点数を削減させることができる。【００１３】  また、レセプタクル側のシャッターを、回動自在に軸支すると共に、後方側に傾斜させることで、幼児などが悪戯でシャッターを開けようとしても開けにくくなり、安全性が向上する。
【図面の簡単な説明】
【００１４】［図１］本発明に係るシャッター付き光コネクタにおけるプラグ１の平面図（Ａ）、正面図（Ｂ）、左右側面図（Ｃ）、（Ｄ）である。
［図２］図１（Ａ）中のＢ−Ｂ線に沿ったプラグ１の縦断面図（Ａ）、横断面図（Ｂ）、図１（Ａ）中のＡ−Ａ線に沿った断面図（Ｃ）、シャッター１ｅの斜視図（Ｄ）である。
［図３］本発明に係るシャッター付き光コネクタ３におけるレセプタクル２の平面図（Ａ）、正面図（Ｂ）、左側面図（Ｃ）、右側面図（Ｄ）である。
［図４］上記の図３（Ａ）におけるＢ−Ｂ線に沿った断面図である。
［図５］本発明に係るシャッター付き光コネクタ３の使用状態である、接続作用を順次に示す説明図（Ａ）、（Ｂ）、（Ｃ）である。
［図６］本発明の第２実施例に係るシャッター付き光コネクタにおけるプラグ９の、一部を断面にして示す平面図（Ａ）、同正面図（Ｂ）、側面図（Ｃ）である。
［図７］本発明の第３実施例に係るシャッター付き光コネクタ１３におけるプラグ１１の、平面図（Ａ）、正面図（Ｂ）、右側面図（Ｃ）、底面図（Ｄ）である。
［図８］本発明の第３実施例に係るシャッター付き光コネクタ１３におけるレセプタクル１２の、平面図（Ａ）、縦断面図（Ｂ）、左側面図（Ｃ）、右側面図（Ｄ）、底面図（Ｅ）である。
［図９］本発明の第３実施例に係るシャッター付き光コネクタ１３における、接続の様子を第１段階から第３段階に分けて示す、プラグ１１の説明図（Ａ）、と、縦断面図（Ｂ）である。
【発明を実施するための最良の形態】
【００１５】  本発明の実施の形態として、コネクタ用プラグとコネクタ用レセプタクルとから成るシャッター付き光コネクタにおいて、互いに嵌合させることでシャッターが開口されるものと、更に、シャッターが容易に開けられないようにしたものを説明する。【００１６】  第１実施例に係るシャッター付き光コネクタ３におけるプラグ１は、図１に示すように、合成樹脂製の、プラグハウジング１ａと、固定ハウジング１ｂと、スライドハウジング１ｃと、及び、合成樹脂製のシャッター１ｅとから概略構成されている。【００１７】  前記プラグハウジング１ａには、図２に示すように、光ケーブル７を保持する固定ハウジング１ｂが嵌装されている。図２（Ａ）、（Ｃ）に示すように、このプラグハウジング１ａの内部空間部に、固定ハウジング１ｂの中央部における内部壁面から突出された円柱状のバネガイド１ｆが、略水平に片持支持されている。そこに、スプリング４が嵌装されている。【００１８】  前記スプリング４は、前記スライドハウジング１ｃの後壁面に一端側が当接して、それを前方向に押し出すように付勢する弾性部材である。【００１９】  更に、図２（Ｂ）に示すように、前記バネガイド１ｆの先端部から前方向にファイバー損傷防止棒１ｇが突設されている。この先端部は、前記シャッター１ｅの位置から若干手前の位置にして、設けられている。【００２０】  これにより、非接続時において、スライドハウジング１ｃが後方に押し込まれても、シャッター１ｅが前記ファイバー損傷防止棒１ｇの先端部に衝突することで、当該スライドハウジング１ｃが後方に後退しないようにされる。【００２１】  前記スライドハウジング１ｃは、図１乃至図２に示すように、その前面側に上下方向において、上に開口しているシャッター用空間部１ｈが設けられており、そこに、図２（Ｄ）に示すシャッター１ｅが遊嵌状態で収納される。【００２２】  そして、前記シャッター１ｅが上方に抜け出さないように押さえる作用をするのが、図２（Ｃ）、（Ｄ）に示すように、押さえバネ５である。この実施例では、シャッター１ｅの上側中央部の切欠き部に押さえバネ５の一端を係止させている。【００２３】  前記シャッター１ｅは、後述のレセプタクル２の一部（退避手段）によって上方に押し上げられて、ファイバー６及びファイバー損傷防止棒１ｇの接続方向に沿った移動を許容する、開放状態になる。よって、このシャッター１ｅは、退避手段により、接続の邪魔にならないように光軸上から退避されれば良いので、上方に持ち上げられるほか、斜め上方もしくは下方に移動される構造でも良い。【００２４】  前記シャッター用空間部１ｈにおいて、図１（Ｃ）及び図２（Ａ）、（Ｂ）に示すように、前後方向に貫通させたファイバー用貫通孔１ｊが左右側に２カ所離間させて設けられている。この貫通孔１ｊに、レセプタクル２との接続状態において、光ケーブルのファイバー６が挿通されるものである。【００２５】  そして、このスライドハウジング１ｃの前端部には、レセプタクル２側のシャッターを開閉作用させる、テーパ部が形成されている。即ち、図１乃至図２に示すように、前記スライドハウジング１ｃの左右端部から前方に向けて壁面が延設され、そこに前方に行くに従っ��下に傾斜するテーパ部１ｍ、１ｎが設けられている。なお、図１（Ｃ）に示すように、当該前端部の強度維持のために前記壁面をＬ字型に形成してある。そして、図１（Ａ）に示すように、ある幅ａを持たせて離間させてある。【００２６】  このプラグハウジング１に、光ケーブル７を取り付ける。当該光ケーブル７のファイバー６は、その先端を前記貫通孔１ｊの入り口近傍に配設しておく。【００２７】  次に、前記プラグ１に嵌合して接続されるレセプタクル２について説明する。
このレセプタクル２は、図３乃至図４に示すように、合成樹脂製で、一側面が開口されている箱体であり、その内部は前記プラグ１を受け入れるために大部分が空間部である。【００２８】  図４（Ａ）に示すように、上部の天井には、二つの四角形状の貫通孔が設けられ、そのうち、一つはシャッター収納部形成用の孔２ａであり、他は、固定ハウジング１ｂの爪１ｐ（図２（Ａ）参照）と係合する係止孔２ｂである。【００２９】  前記レセプタクル２の内部空間部２ｃには、図３（Ｄ）及び図４に示すように、その中央部に後方に行くほど上に傾斜する、退避手段としてのテーパ部２ｄが、設けられている。該テーパ部２ｄの左右方向の幅は、図１（Ａ）にて示した前記スライドハウジング１ｃの幅ａ内に当該テーパ部２ｄが入り込むので、この幅ａより若干狭い幅に設定される。【００３０】  前記孔２ａの位置の下側で、前記テーパ部２ｄの後部に、シャッター用収納部２ｅが図４に示すように形成されている。この収納部２ｅは、上部に開口された凹部であり、左右側壁部にはスリットが設けられている。図３に示すシャッター１ｅは、部品共通化のために図２（ｄ）に示したシャッター１ｅと同じにされている。【００３１】  このシャッター１ｅの耳部１ｒが、図３（Ｃ）、（Ｄ）に示すように、前記スリットから収納部２ｅの外に突出する。接続時に、前記テーパ部１ｍ、１ｎに当該耳部１ｒが当接してその傾斜面に沿って移動することで、このシャッター１ｅを上下移動させるためである。【００３２】  また、前記シャッター１ｅが収納部２ｅから抜け出さないように、押さえ用のバネ２ｆが設けられている。【００３３】  更に、前記収納部２ｅを形成する前方壁面の下部に、前後方向において当該レセプタクル２の後壁面にまで貫通するファイバー６用の貫通孔２ｇが２個と、ファイバー損傷防止棒１ｇ挿通用の貫通孔２ｈが１個設けられている。【００３４】  よって、前記シャッター１ｅが収納部２ｅに収納されていることで、前記貫通孔２ｈが閉ざされ、これが上方に持ち上げられることで貫通孔２ｈが開けられて、ファイバー損傷防止棒１ｇを前後方向に挿通させることが可能となる。【００３５】  前記収納部２ｅのシャッター１ｅを持ち上げるのは、該収納部２ｅからスリットを介して内部空間部２ｃに突出している耳部１ｒに、前記プラグ１の前端部におけるテーパ部１ｍ、１ｎが当接し、その進入によりなされるものである。【００３６】  このようにして、プラグ１とレセプタクル２とが形成されシャッター付き光コネクタ３が構成される。そして、その接続・嵌合の様子を図５に沿って説明する。【００３７】  図５（Ａ）に示すように、レセプタクル２の前方側の開口部に向かって、プラグ１のスライドハウジング１ｃを前にして差し込む。【００３８】  前記スライドハウジング１ｃがレセプタクル２の内部空間部２ｃに入り込み、そのテーパ部１ｍ、１ｎが収納部２ｅのシャッター１ｅにおける耳部１ｒに当接する。また、ほぼ同時に、前記スライドハウジング１ｃにおけるシャッター用空間部１ｈのシャッター１ｅの下端部に、レセプタクル２側のテーパ部２ｄの下部が当接する。【００３９】  図５（Ｂ）に示すように、前記プラグ１が、レセプタクル２に向けて更に挿入されると、前記耳部１ｒがテーパ部１ｍ、１ｎによって上に押し上げられ、収納部２ｅのシャッター１ｅが、バネ２ｆの付勢力に抗して上に移動される。【００４０】  また、ほぼ同時に、スライドハウジング１ｃ側の前記シャッター１ｅも、前記テーパ部２ｄによってその下端部が押さえバネ５の付勢力に抗して押し上げられて、接続方向に直交する方向（上方向）に退避される。【００４１】  この状態で、前記スライドハウジング１ｃにおけるシャッター用収納空間部１ｈを形成する前壁面と、前記レセプタクル２の収納部２ｅを形成する後壁面とが当接する。この状態まで、スプリング４の付勢力により、前記スライドハウジング１ｃが、プラグハウジング１ａに対して後退することなく、挿入抵抗に抗して前進することができる。【００４２】  この後、図５（Ｃ）に示すように、プラグハウジング１ａを更に押し込むことで、前記スプリング４が縮み、その付勢力に抗してプラグハウジング１ａと固定ハウジング１ｂとが前進する。【００４３】  すると、前記収納部２ｅと収納空間部１ｈとにおける両シャッター１ｅが上方に移動しているので、バネガイド１ｆから突出しているファイバー損傷防止棒１ｇが、前記両シャッター１ｅに邪魔されることなく前進することができる。そして、当該ファイバー損傷防止棒１ｇは、貫通孔２ｈに挿通される。【００４４】  また、２本のファイバー６（図２（Ｂ）参照）も、同様に、貫通孔１ｊ（図２（Ｂ）参照）から貫通孔２ｇ（図３（Ｃ）、（Ｄ）参照）へと挿通される。そして、このファイバー６がレセプタクル２側のファイバーと若干の当接力を有して当接し、光信号が伝達されるものである。【００４５】  この接続状態を維持すべく、固定ハウジング１ｂの爪１ｐが、レセプタクル２の係止孔２ｂに係止される。接続解除の際には、この固定ハウジング１ｂのボタン１ｓを下方向に押すことで、前記爪１ｐの係止作用を解除させればよい。【００４６】  このシャッター付き光コネクタ３においては、前記プラグ１とレセプタクル２との接続・解除の挿抜作用により両シャッター１ｅが開閉されるので、防塵効果があるばかりでなく、幼児などがファイバー６の端面を直接覗いて光信号により目に損傷を受けるおそれが無くなり、該ファイバー６も容易に露出されて折れ曲げられ損傷を受けるということがなくなり、確実に保護されるものである。【００４７】  第２実施例に係るシャッター付き光コネクタは、図６に示すように、プラグにおけるファイバー６にフェルール８が設けられ、それにより、前記第１実施例のファイバー損傷防止棒１ｇが省略されている実施例である。【００４８】  このプラグ９は、光ケーブル７を装着する際に、ファイバー６にフェルール８を固定し、これにより、シャッター１ｅと当接させることで、スライドハウジング１ｃの後退を防止している。プラグ９の他の部分は、前記プラグ１と同じ構成であり、レセプタクル２との接続作用も前記第１実施例と同じであるので、省略する。【００４９】  本発明に係る第３実施例のシャッター付きコネクタ１０は、図７に示すように、プラグ１１において、スライドハウジング１１ａ、特に前面壁１１ｂがシャッターを兼用する。【００５０】  前記スライドハウジング１１ａが、例えば、幼児等��悪戯で後方向に押されても後退移動しないようにされ、レセプタクルとの接合時には、一旦、接続方向と直交する方向（上方向）に移動してから退避可能となるようにしたものである。【００５１】  また、図９に示すように、レセプタクル１２において、防塵用のシャッター１２ａと前記プラグハウジング１１ｃを上方に移動させるテーパ部１２ｊを設けたものである。【００５２】  前記プラグ１１について詳述すると、図７に示すように、プラグハウジング１１ｃの側壁には、スライドハウジング１１ａのスライドをガイドする、略逆Ｌ字型のガイド溝１１ｄが設けられている。【００５３】  一方、前記スライドハウジング１１ａの側壁には、前記ガイド溝１１ｄに嵌合する、平板状の係合突起１１ｅが設けられている。図７（Ｂ）に示す状態の時には、ガイド溝１１ｄを形成する一部の弾性片１１ｆの凹部１１ｇにより、前記係合突起１１ｅがロックされた状態となる。【００５４】  前記スライドハウジング１１ａの前面壁１１ｂには、ファイバー６用の貫通孔１１ｈが設けられており、図７に示す状態ではファイバー６をカバーしている。このスライドハウジング１１ａが上に移動して更に後方に退避させた際に、ファイバー６と上下方向の高さ位置が合って、該ファイバー６がこの貫通孔１１ｈから突出するようになる。このスライドハウジング１１ａの全体がシャッターの代わりとなる。【００５５】  符号１１ｊは、光ケーブル７をロックする固定ハウジングを示している。この下面に、接続を維持する爪１１ｋと、解除用のボタン１１ｍが設けられている。【００５６】  次に、前記レセプタクル１２は、図８（Ｂ）、（Ｄ）に示すように、内部空間の開口部を全面的に閉蓋するシャッター１２ａが、上部で回転軸１２ｂに回動自在に支持され、バネ１２ｃで常に閉蓋する方向に付勢されて、設けられている。図示するように、シャッター１２ａの下部が突起１２ｄに当接して、後方に斜めに傾斜されて設けられている。【００５７】  また、前記突起１２ｄの前面側で略中央部には、退避手段として、後方に行くほど上に傾斜するテーパ部１２ｊが形成されている。これは、前記スライドハウジング１１ａを上に押し上げるためのものである。【００５８】  このシャッター１２ａの上部には、前記スライドハウジング１１ａの光軸上への復帰手段として、軸部から略直交方向に展開させた係止突起１２ｅが形成されており、プラグ１１をレセプタクル１２から脱着させた際に、当該スライドハウジング１１ａを下に押し下げる作用をする。【００５９】  また、レセプタクル本体１２ｆの下面には、図８（Ｅ）に示すように、係止孔１２ｇが設けられ、プラグ１１の爪１１ｋが接続時に係止する。【００６０】  更に、図８（Ｃ）に示すように、レセプタクル本体１２ｆの後壁面に、ファイバー６を挿通させる貫通孔１２ｈが設けられている。【００６１】  このようなプラグ１１とレセプタクル１２とによるシャッター付き光コネクタ１３の接続と脱着との様子は、図９（Ａ）、（Ｂ）に示すように３段階で行われる。即ち、同図（Ｂ）に示すように、第１段階では、レセプタクル１２の前面の開口部にプラグ１１のスライドハウジング１１ａが挿入されると、スライドハウジング１１ａの先端部でシャッター���２ａをバネ１２ｃの付勢力に抗して後方に押し上げる。【００６２】  それとほぼ同時に、テーパ部１２ｊにスライドハウジング１１ａの下部中央に形成されているテーパ部１１ｒが当接する。これにより、スライドハウジング１１ａが前方に移動すると、前記テーパ部１２ｊの傾斜面に沿って上に移動することになる。【００６３】  更に、第２段階で、プラグ１１を前方に押し込むと、スライドハウジング１１ａが前進し、シャッター１２ａを上に回転させて完全に押し開けた状態になり、スライドハウジング１１ａも前記テーパ部１２ｊによって上に移動する。【００６４】  すると、スライドハウジング１１ａの貫通孔１１ｈがフェルール１１ｓの高さと一致するようになる。また、フェルール１１ｓが前進できるようにスライドハウジング１１ａの前壁面の切欠部１１ｕ（図８（Ｃ）、（Ｅ）参照）が前方に位置する。こうして、フェルール１１ｓの接続方向（前後方向）に沿った移動が許容された状態となる。【００６５】  更に、図９（Ａ）の第２段階に示すように、係合突起１１ｅが、ガイド溝１１ｄの上位置にある前後方向の溝の位置に、その高さが合わせられて、前後方向の移動が可能になる。【００６６】  次に、第３段階として、プラグ１１のスライドハウジング１１ａの前壁面１１ｂがレセプタクル１２の後壁面１２ｍに当接すると、該スライドハウジング１１ａの移動が停止して、プラグハウジング１１ｃ及び固定ハウジング１１ｊが更に前進する。係合突起１１ｅがガイド溝１１ｄに沿って相対的に後方に移動する。【００６７】  すると、フェルール１１ｓが貫通孔１２ｈに挿通し、スライドハウジング１１ａの前壁面１１ｂから突出する。【００６８】  また、固定ハウジング１１ｊの爪１１ｋが、係止孔１２ｇに係止し、プラグ１１とレセプタクル１２との接続状態が維持される。【００６９】  前記突出したフェルール１１ｓが、若干押し戻されたスプリング１１ｔによる付勢力で当接し、レセプタクル１２側のフェルール（図示せず）と接続されて光信号の伝達がなされる。【００７０】  上記接続状態を解除するには、前記固定ハウジング１１ｊのボタン１１ｍを押すことで、前記爪１１ｋの係止を解除させる。すると、プラグハウジング１１ｃ及び固定ハウジング１１ｊが後方に移動させられる。前記フェルール１１ｓが、突出状態からスライドハウジング１１ａの前壁面１１ｂの内側に後退する。【００７１】  更に、後方に引き抜くと、スライドハウジング１１ａが、復帰手段である係止突起１２ｅに当接して、テーパ部１２ｊに沿って下方斜めに移動させられる。【００７２】  プラグ１１を引き抜くに従って、シャッター１２ａがバネ１２ｃの付勢力により下方に展開し、プラグ１１が完全にレセプタクル１２から抜去されると、シャッター１２ａの下部が、突起１２ｄに当接して、奥行き側に傾斜した状態で閉蓋される。【００７３】  また、スライドハウジング１１ａが前方に移動して下に移動するので、凹部１１ｇによりロックされて接続方向（前後方向）の移動が阻止されるようになる。また、フェルール１１ｓも保護されるようになる。勿論、防塵効果も作用する。【００７４】  他の実施例として、上記各実施例における爪１ｐ、１１ｋと係止孔２ｂ、１２ｇとの係止関��において、当該爪の深さを浅く加減することで、ある範囲での引抜力には抵抗するが、ある引抜力以上の力では抜けるようにして、係止作用が解除されるようにすることが、コネクタの破壊を防止する上で好ましいものである。
【産業上の利用可能性】
【００７５】  以上のように、本発明に係るシャッター付き光コネクタは、光通信ケーブルの接続部に使用するものとして有用であり、特に、コネクタ用プラグとコネクタ用レセプタクルとの取り扱いにおいて高い安全性及び防塵性を有するので、会社間若しくは会社内におけるＬＡＮの構築や、一般家庭にまで光ケーブルを引き込むＦＴＴＨ（Ｆｉｂｅｒ  Ｔｏ  Ｔｈｅ  Ｈｏｍｅ）の構築などへの使用に適している。
【図１】
0004032073.tif 000002
【図２】
0004032073.tif 000003
【図３】
0004032073.tif 000004
【図４】
0004032073.tif 000005
【図５】
0004032073.tif 000006
【図６】
0004032073.tif 000007
【図７】
0004032073.tif 000008
【図８】
0004032073.tif 000009
【図９】
0004032073.tif 000010